(57)【要約】【課題】  インク管理を不要にして、パリソンＰに容易かつ確実にマーキングを施すことができるパリソン切断装置およびこれを用いた中空成形装置を提供する。【解決手段】  中空成形装置に用いるパリソン切断装置２０において、所定の制御手段であるパリソンコントローラにより駆動制御され、押出機１のヘッド２から押し出されて垂下したパリソンＰを切断するための電熱カッタ２７を支持するカッタホルダ２４の電熱カッタ２７とパリソンＰを挟んで対向する位置にマーキングペン３５を配置し、ヘッド２から垂下したパリソンＰを電熱カッタ２７によって切断した後にヘッド２から押し出されて垂下するパリソンＰに、マーキングペン３５によってマーキングポイント毎に印をつけるように構成した。【選択図】  図７
2010110994.tif 000002
【特許請求の範囲】
【請求項１】
押出機のヘッドから押し出されて垂下したパリソンを切断する電熱カッタと、
該電熱カッタを支持するカッタホルダと、
該カッタホルダにて前記電熱カッタと前記パリソンを挟んで対向配置したマーキングペンと、を備え、
前記ヘッドから垂下したパリソンを前記電熱カッタによって切断した後に前記ヘッドから押し出されて垂下するパリソンに、前記マーキングペンによって所定のマーキングポイント毎に印をつけるように構成したことを特徴とするパリソン切断装置。
【請求項２】
前記マーキングペンが熱溶融型着色芯を持つペンであることを特徴とする請求項１に記載のパリソン切断装置。
【請求項３】
押出機のヘッドから押し出されて垂下したパリソンを切断する電熱カッタと、該電熱カッタを支持するカッタホルダと、該カッタホルダにて前記電熱カッタと前記パリソンを挟んで対向配置したマーキングペンと、を有し、前記ヘッドから垂下したパリソンを前記電熱カッタによって切断した後に前記ヘッドから押し出されて垂下するパリソンに、前記マーキングペンによって所定のマーキングポイント毎に印をつけるように構成されたパリソン切断装置を備えたことを特徴とする中空成形装置。
【請求項４】
前記マーキングペンが熱溶融型着色芯を持つペンであることを特徴とする請求項３に記載の中空成形装置。
【発明の詳細な説明】
【技術分野】
【０００１】
本発明は、パリソン切断装置およびこれを用いた中空成形装置に関し、とりわけ、パリソンの肉厚制御においてプロファイルの設定ポイントが実際のパリソンのどの位置に反映されているかの確認をするためのマーキングペンを備えたものに関する。
【背景技術】
【０００２】
中空成形品には各種の形状があることに伴い、中空成形品の各部位において強度維持や樹脂量削減のため、肉厚を変化させることがあり、中空成形時のパリソン自体の肉厚を制御することが必要となる。
【０００３】
パリソンの肉厚制御には、通例、パリソン押出機のヘッドを構成するダイに嵌挿されたコアの移動量を制御するパリソンコントローラが使用され、その制御のためパリソンのプロファイルの作成がなされる。
【０００４】
パリソンコントローラに肉厚分布を設定する際、設定値と成形金型ひいては中空成形品の肉厚分布とを一致させるため、プロファイルの各ポイントをパリソン成形時にマーキングし、その後パリソンをブロー成形して、中空成形品の肉厚分布の状態をチェックすることができるパリソンマーキング装置が提供されている
たとえば、特許文献１に示すマーキング装置１１０は、図９に示すように、パリソン押出機のダイ１０２押し出されるパリソンにインクでマーキングすることが可能なマーキングスプレーノズル１１２と、成形されるパリソンの肉厚を制御するパリソンコントローラ１０８の肉厚制御信号が切り換わったとき所定時間マーキング機構に駆動信号を送るマーキング制御装置１１４とからなる。
【特許文献１】実開昭５９−１１０６１３号公報
【発明の開示】
【発明が解決しようとする課題】
【０００５】
しかしながら、上述の特許文献１のパリソンマーキング装置では、パリソン生成箇所の近傍が２００℃からの樹脂が出てくるところであるため、詰まり等の問題を生じていた。これによって、インクの管理が必要となり、経年すると使用には耐え難いという課題があった。また、パリソンコントローラとは別個の独立したマーキング制御装置を必要とし、中空成形装置自体の簡素化をも阻害していた。
【０００６】
本発明は、かかる従来に技術的課題に鑑みて案出されたものであって、インク管理を不要にして、パリソンＰに容易かつ確実にマーキングを施すことができるパリソン切断装置およびこれを用いた中空成形装置を提供することを目的としている。
【課題を解決するための手段】
【０００７】
請求項１に記載の発明は、押出機のヘッドから押し出されて垂下したパリソンを切断する電熱カッタと、該電熱カッタを支持するカッタホルダと、該カッタホルダにて前記電熱カッタと前記パリソンを挟んで対向配置したマーキングペンと、を備え、前記ヘッドから垂下したパリソンを前記電熱カッタによって切断した後に前記ヘッドから押し出されて垂下するパリソンに、前記マーキングペンによって所定のマーキングポイント毎に印をつけるように構成したことを特徴としている。
【０００８】
この発明によれば、所定の制御手段により駆動制御されるカッタホルダの動きに応じて移動した電熱カッタによってヘッドから押し出されて垂下したパリソンを切断した後に押し出されて垂下するパリソンに、前記カッタホルダの移動に従い移動するマーキングペンで所定の確認ポイント毎に容易かつ確実に印をつけることができる。
【０００９】
請求項２に記載の発明は、請求項１に記載の発明において、前記マーキングペンを、熱溶融型着色芯を持つペンで構成したことを特徴としている。
【００１０】
この発明によれば、熱溶融型着色芯が熱を持つパリソンとの接触を通して溶融して、パリソンにマーキングすることが容易になる。
【００１１】
請求項３に記載の発明は、押出機のヘッドから押し出されて垂下したパリソンを切断する電熱カッタと、該電熱カッタを支持するカッタホルダと、該カッタホルダにて前記電熱カッタと前記パリソンを挟んで対向配置したマーキングペンと、を有し、前記ヘッドから垂下したパリソンを前記電熱カッタによって切断した後に前記ヘッドから押し出されて垂下するパリソンに、前記マーキングペンによって所定のマーキングポイント毎に印をつけるように構成されたパリソン切断装置を備えたことを特徴としている。
【００１２】
この発明によれば、所定の制御手段により駆動制御されるカッタホルダの動きに応じて移動した電熱カッタによってヘッドから押し出されて垂下したパリソンを切断した後に押し出されて垂下するパリソンに、前記カッタホルダの移動に従い移動するマーキングペンで所定の確認ポイント毎に容易かつ確実に印をつけることができる。
【００１３】
請求項４に記載の発明は、請求項３に記載の発明において、前記マーキングペンを、熱溶融型着色芯を持つペンで構成したことを特徴としている。
【００１４】
この発明によれば、熱溶融型着色芯が熱を持つパリソンとの接触を通して溶融して、パリソンにマーキングすることが容易になる。
【発明の効果】
【００１５】
本発明に係るパリソン切断装置およびこれを用いた中空成形装置は、所定の制御手段により駆動制御されるカッタホルダと一体的に移動するマーキングペンによって、押出機のヘッドから押し出された熱をもったパリソンに容易かつ確実に所定の確認ポイント毎に印をつけることができ、従来のようなインク管理が不要となる。
【００１６】
しかも、マーキングペンを従来のカッタホルダに取り付けた中空成形装置なので、中空成形装置自体を簡素化することもできる。
【発明を実施するための最良の形態】
【００１７】
以下、本発明に係るパリソン切断装置およびこれを用いた中空成形装置の実施の形態について説明すれば、この中空成形装置は、図１に示すように、押出機１の一対のヘッド２のそれぞれを構成するダイ２ａがカップリング３と連結され、ボールねじ４がサーボモータ５によって回転駆動されることにより、ダイ２ａの上下動調節を行うようになっている。
【００１８】
サーボモータ５は、サーボアンプ６を備え、このサーボアンプ６がサーボ制御コントローラ７によって制御されるようになっている。サーボ制御コントローラ７は、プログラマブルコントローラ８と接続している。サーボ制御コントローラ７およびプログラマブルコントローラ８は、所定の制御手段であるパリソンコントローラを構成する。パリソンＰのプロファイルの作成のための各種の数値は、操作者によって設定・表示器９を通してプログラマブルコントローラ８へ入力され、プログラマブルコントローラ８が演算および記憶を実行し、それら結果を設定・表示器９のモニタ画面１０に表示されるようになっている。
【００１９】
プログラマブルコントローラ８が演算結果に従って、サーボ制御コントローラ７は、サーボモータ５にて回転駆動されるボールねじ４を介し、ダイ２ａの垂直方向の移動量を制御し、ダイ２ａとともにヘッド２を構成するコア２ｂとの間隙を調節してパリソンＰの肉厚を変化させるようになっている。
【００２０】
成形金型３０は、図１に示すように、図示を省略した型締装置によって型開閉・型締される一対の割型３１，３２からなり、これら割型が、左右一対の筒状パリソンＰを挿入させて、中空成形品に成形するための一対のキャビティ（図示省略）を形成している。成形金型３０は、図示を省略した成形金型移動装置によって、押出機１のヘッドの直下の位置および図示を省略したエア吹込打込装置の左右のエア吹込ノズルの直下位置間にて、水平方向に交互に往復移動するようになっている。打込装置は、成形金型１の一対のキャビティのそれぞれの上方から、エア吹込ノズルを筒状のパリソンＰ内に挿入して圧縮エアを吹き込み、ブロー成形するものである。
【００２１】
パリソン切断装置２０は、図２および図３に示すように、押出機１のヘッド２から垂下する左右一対の筒状のパリソンＰの上部を切断するものであって、基体２１と双状の腕部２２，２３とからなり、先端にてパリソンＰを切断するための電熱カッタ２７を支持するように構成された平面ほぼコ字型のカッタホルダ２４を備えている。カッタホルダ２４は、腕部２３の一部に形成した弾性体２５と、その弾性体２５の自由端に設けたカッタ取付体２６とを有している。電熱カッタ２７は、一端がカッタホルダ２４の腕部２２に固定され、他端がカッタ取付体２６に角度変更自在に取り付けられて、腕部２２，２３間に付勢・張架されている。電源からの電線の端子２８が電熱カッタ２７に結合して、電流を電熱カッタ２７に通すようになっている。
【００２２】
カッタホルダ２４は、固定部２９に対してスライド自在に支持された一対のシャフト３０の先端に固定され、かつこれらシャフト３０がガイド３１に固定されたボールねじからなる駆動桿３２によって進退動されるようになっている。駆動桿３２の先端は、カッタホルダ２４側の固定部２９のベアリング３３に作動可能に係合し、後端部をガイド３１に中程に設けたボールナット３１Ａに作動自在な状態で貫通させ、駆動源３４に接続している。駆動桿３２は、モータや油圧シリンダなどの駆動源３４によって駆動され、その駆動にて電熱カッタ２７をカッタホルダ２４とともに前進又は後退させるようになっている。固定部２９は、図２、図４及び図６の図中に１点鎖線にて示した成形機本体４１に取付体４２によって固定されている。駆動源３４は、カッタコントローラ６Ａによって駆動制御されるとともに前記パリソンコントローラによって駆動制御されるようになっている。
【００２３】
カッタホルダ２４の基体２１に、左右一対のパリソンＰの一方にマーキングするためのマーキングペン３５が、所定の取付具３６によって着脱自在に取り付けられている。このマーキングペン３５は、たとえば赤色の熱溶融型着色芯３５ａを備えている。なお、マーキングペン３５としては、通常の油性の着色芯を持つサインペンを使用することもできる。
【００２４】
マーキングペン３５のマーキング時の動作ストロークは、前記パリソンコントローラの駆動制御による駆動源３４によって行われるようになっている。すなわち、パリソンＰ自体の軟らかさの程度およびパリソンＰ自体の大きさの程度等に応じて、マーキングペン３５の移動が行われるようになっている。また、マーキング自体、パリソンＰの長さ方向に所望な少なくも１箇所に付すだけでもよい。さらに付されたマーキング群の隣接するマーキング間の間隔を任意に設定することもできる。
【００２５】
この中空成形装置におけるパリソン切断装置２０およびマーキングの作動は、次の通りである。電熱カッタ２７に電流を通して所定温度に昇温させたパリソン切断装置２０は、図２および図３に示すように、待機状態にある。この状態から、押出機１のヘッド２から押し出されて垂下した左右一対の筒状パリソンＰに対し、駆動源３４の順回転の作動によってカッタホルダ２４および電熱カッタ２７を前進させ、図４および図５に示すように、一対のパリソンＰを切断する。この状態では、マーキングペン３５は待機状態にある。
【００２６】
ついで、押出機１のヘッド２から押し出されて垂下した左右一対の筒状パリソンＰに対し、設定・表示器９にて設定した所定の確認ポイントであるパリソンマーキングポイントに基づき、プログラマブルコントローラ８を介したカッタコントローラ６Ａからの指示にて、駆動源３４の順回転の作動によってさらにカッタホルダ２４を前進させ、マーキングペン３５の芯３５ａ先端をマーキング位置まで前進させて、パリソンＰにマーキングを施す。マーキングポイントが数カ所の場合は、カッタホルダ２４の後退・前進の往復動を前記マーキングポイント毎に繰り返す。
【００２７】
マーキングの施し操作完了後、次の成形の制御信号によって駆動源３４を逆回転作動させて、カッタホルダ２４および電熱カッタ２７を図２および図３に示す状態に戻す。この戻り操作の段階にて、この垂下している筒状パリソンＰを切断する。
【００２８】
なお、図８は、パリソンＰに同一線Ｌ上に５カ所のマーキングＭ１〜Ｍ５を施した成形直後の成形品ＰＲを示し、図中にて、ＵＢは成形品ＰＲの上ばり、ＢＢは成形品ＰＲの下ばりを示している。
【図面の簡単な説明】
【００２９】
【図１】本発明の実施形態に係る中空成形装置の概要を示す正面図である。
【図２】パリソン切断装置を示す正面図である。
【図３】同パリソン切断装置を示す底面図である。
【図４】同パリソン切断装置のパリソン切断動作を示す正面図である。
【図５】同パリソン切断装置のパリソン切断動作を示す底面図である。
【図６】同パリソン切断装置のマーキング動作を示す正面図である。
【図７】同パリソン切断装置のマーキング動作を示す底面図である。
【図８】マーキングを施した成形品を示す正面図である。
【図９】従来の中空成形装置におけるマーキング装置を正面図である。
【符号の説明】
【００３０】
１…押出機
２…ヘッド
２０…パリソン切断装置
２４…カッタホルダ
２７…電熱カッタ
３５…マーキングペン
３５ａ…芯
Ｐ…パリソン
【図１】
2010110994.tif 000003
【図２】
2010110994.tif 000004
【図３】
2010110994.tif 000005
【図４】
2010110994.tif 000006
【図５】
2010110994.tif 000007
【図６】
2010110994.tif 000008
【図７】
2010110994.tif 000009
【図８】
2010110994.tif 000010
【図９】
2010110994.tif 000011